(57)【要約】【課題】使用前は概ね組み立てられた状態で嵩低く重ね合わせることができ、商品を包装するときには簡単な操作で内枠をケース本体の中に納めることができる包装用内枠を提供する。【解決手段】上端回り縁１１の外側に折りたたみ線１２を介して外壁片１３ａ，１３ｂを設け、上記上端回り縁１１の内側に折りたたみ線１４ａ，１４ｂを介して内壁片１５ａ，１５ｂを設け、上記折りたたみ線１４ａは断続的に向き合って形成され、上記折りたたみ線１４ａが途切れた部分に円弧状波形の切り込み２０を入れ、上記外壁片１３ａの両端には折り曲げ線１６ａと傾斜折り曲げ線１６ｂを介して係止片１８を有するフラップ１７を設け、上記外壁片１３ｂの両端には上記係止片１８が嵌る部分円孔１９をハの字状に設けてなる。【選択図】図１
0003114229.tif 000002
【実用新案登録請求の範囲】
【請求項１】
上端回り縁（１１）の外側に折りたたみ線（１２）を介して外壁片（１３ａ，１３ｂ）を設け、上記上端回り縁（１１）の内側に折りたたみ線（１４ａ，１４ｂ）を介して内壁片（１５ａ，１５ｂ）を設け、上記外壁片（１３ａ）の両端に折り曲げ線（１６ａ，１６ｂ）を介してフラップ（１７）を設け、上記両外壁片（１３ａ，１３ｂ）を、フラップ（１７）を介して係合し、少なくとも上記外壁片（１３ａ）が裾広がりになるようにしてなる包装用内枠。
【請求項２】
上記両外壁片（１３ａ，１３ｂ）の係合は、上記フラップ（１７）に係止片（１８）を設け、上記外壁片（１３ｂ）の両端に部分円孔（１９）をハの字状に設け、この部分円孔（１９）に係止片（１８）を差し込んでなる請求項１に記載の包装用内枠。
【請求項３】
上記フラップ（１７）を折り曲げ線（１６ａ）に沿って折り曲げて係止片（１８）を上記部分円孔（１９）に差し込み、その係止片（１８）の括れ部（２１）が部分円孔（１９）の下端に当接したとき外壁片（１３ａ）が裾広がりになる請求項１または２に記載の包装用内枠。
【請求項４】
上記フラップ（１７）を折り曲げ線（１６ｂ）に沿って折り曲げて係止片（１８）を上記部分円孔（１９）に差し込み、その係止片（１８）の括れ部（２１）が部分円孔（１９）の下端に当接したとき外壁片（１３ａ，１３ｂ）が裾広がりになる請求項１または２に記載の包装用内枠。
【請求項５】
上記両外壁片（１３ａ，１３ｂ）の係合は、上記フラップ（１７）に、その自由端に向かって傾斜する切り込み（２８）を入れ、上記外壁片（１３ｂ）の両端寄りに、その両端に向かって傾斜先細りの、幅の広い切り込み（２９）を設け、この切り込み（２８）と切り込み（２９）とを互いに掛け合わせてなる請求項１に記載の包装用内枠。
【請求項６】
上記フラップ（１７）を折り曲げ線（１６ｂ）に沿って折り曲げて、上記切り込み（２８）と上記切り込み（２９）とを係合して外壁片（１３ａ，１３ｂ）が裾広がりになる請求項１または５に記載の包装用内枠。
【請求項７】
上記折りたたみ線（１４ａ）は断続的に向き合って形成され、上記折りたたみ線（１４ａ）が途切れた部分に凸状の切り込み（２０）を入れてなる請求項１乃至６のいずれかに記載の包装用内枠。
【考案の詳細な説明】
【技術分野】
【０００１】
この考案は、箱詰め商品の見栄えを高めるための包装用内枠であって、箱詰め作業の過程で部材を嵩低く取り扱えるようにした包装用内枠に関する。
【背景技術】
【０００２】
段ボールケース内に内ケースを配置するものとして特許文献１がある。
【０００３】
【特許文献１】特開２００２−０１９７７４号公報（要約、図面）
【考案の開示】
【考案が解決しようとする課題】
【０００４】
上記特許文献に記載のケースは、外ケースに内ケースを嵌め入れるものであるが、その外ケース、内ケースとも嵩高で輸送・保管に大きなスペースを必要とし、輸送・保管のスペースを小さくするにはブランクの状態にする他なく、商品を包装するときにブランクを折りたたみ組み立てなければならず包装作業に多くの時間をかけることとなっている。
【０００５】
上記状況に鑑みこの考案は、使用前は概ね組み立てられた状態で嵩低く重ね合わせることができ、商品を包装するときには簡単な操作で内ケース（本考案では「内枠」と表現）をケース本体内に納めることができる包装用内枠を提供することを課題とする。
【課題を解決するための手段】
【０００６】
上記課題を解決するためにこの考案は、上端回り縁１１の外側に折りたたみ線１２を介して外壁片１３ａ，１３ｂを設け、上記上端回り縁１１の内側に折りたたみ線１４ａ，１４ｂを介して内壁片１５ａ，１５ｂを設け、上記外壁片１３ａの両端に折り曲げ線１６ａ，１６ｂを介してフラップ１７を設け、少なくとも上記外壁片１３ａが裾広がりになるように、上記フラップ１７を介して係合してなり、上記係合は、外壁片１３ｂの両端にハの字状に設けた部分円孔１９に、フラップ１７に設けた係止片１８を差し込んでなるもの、または、フラップ１７に入れた切り込み２８と、外壁片１３ｂに入れた傾斜、先細り、幅広の切り込み２９とを掛け合わせてなる。
【０００７】
また、上記折りたたみ線１４ａは断続的に向き合って形成され、上記折りたたみ線１４ａが途切れた部分に凸状の切り込み２０を入れてなる構成とすることもできる。
【考案の効果】
【０００８】
上記の如く構成するこの考案によれば、外壁片を折りたたみフラップを折り曲げ線、傾斜折り曲げ線に沿って折り曲げ、係止片を部分円孔に差し込むか、切り込みを係合させた状態で外壁片の下端を広げたり、窄めたりすることができるので、輸送、保管、包装作業中は嵩低くすることができる。また、内壁片を折りたたむと仕切り片が残って包装商品の揺動を防止する効果を得ることができる。
【考案を実施するための最良の形態】
【０００９】
次にこの考案の実施の形態を、図面を参照しながら説明する。
【実施例１】
【００１０】
図１乃至図３は実施例１の包装用内枠を示し、上端回り縁１１の外側に折りたたみ線１２を介して外壁片１３ａ，１３ｂを設け、上記上端回り縁１１の内側に折りたたみ線１４ａ，１４ｂを介して内壁片１５ａ，１５ｂを設けている。なお、上端回り縁１１と内壁片１５ａ，１５ｂ間の折りたたみ線１４ａ，１４ｂのコーナーは１／４円弧の切り込み２３と４５°の切り込み２４を入れている。
【００１１】
また、上記折りたたみ線１４ａは断続的に向き合って途切れさせ、途切れた部分に円弧状波形（台形でもよい）の凸状切り込み２０を設けることができる。このようにすると内壁片１５ａを折り曲げたとき仕切り片２６が残って図１０に示すように包装商品Ｈの揺動防止効果を得ることができる。
【００１２】
上記外壁片１３ａの両端には、折り曲げ線１６ａと傾斜折り曲げ線１６ｂを介して係止片１８を有するフラップ１７を設け、上記外壁片１３ｂの両端には上記係止片１８が嵌る部分円孔１９をハの字状に設けている。なお、上記傾斜折り曲げ線１６ｂを介さず、折り曲げ線１６ａを介して直接フラップ１７を設けてもよく、また、上記フラップ１７の端縁２２と外壁片１３ｂとの間に切り込みを入れているのは係止片１８を部分円孔１９に差し込み易くするためである。
【００１３】
図１に示すブランクを内枠１０とするときは、図２に示すように内壁片１５ａ，１５ｂを折りたたみ線１４ａ，１４ｂに沿って折りたたみ、外壁片１３ａ，１３ｂを折りたたみ線１２に沿って折りたたみ、外壁片１３ａの両端に設けたフラップ１７を折り曲げ線１６ａに沿って折り曲げて係止片１８を部分円孔１９に差し込む（図３（ａ）参照）。
【００１４】
係止片１８を差し込んだとき、係止片の括れ部２１が部分円孔１９の下端に当接し、外壁片１３ｂの両端が傾斜折り曲げ線１６ｂに位置するときは、外壁片の下端が裾広がりになって図３（ｂ）のように嵩低く重ねることができ、フラップ１７の端縁２２が部分円孔１９の上端に当接し、外壁片１３ｂの両端が折り曲げ線１６ａに位置するときは図３（ｃ）のように外壁片１３ａ，１３ｂは直立し、図示しないケースに納め易くなる。
【実施例２】
【００１５】
図４乃至図６は実施例２のその１、図７乃至図９は実施例２のその２で、基本的な構造は、実施例１と同様で、外壁片１３ａ，１３ｂをフラップ１７でもって係合させる構造が相違するだけであるから、相違する部分について説明する。
【００１６】
上記フラップ１７には、その内側から外側に向け、自由端に向け上向きに傾斜する切り込み２８を設け、この切り込み２８の入口には面取りを施し、他の角部も面取りを施してある。
【００１７】
上記外壁片１３ｂの両端寄りには、ハの字状で奥に向かって幅が次第に狭くなる切り込み２９を設け、この切り込み２９の入口には面取りが施され、他の角部も面取りを施し、切り込み２９の幅は上記切り込み２８の幅より広くして外壁片１３ａを裾広がりにできるようにしている。
【００１８】
上記切り込み２８と上記切り込み２９とは図５、図６に示すように外壁片１３ａ，１３ｂを折り曲げ、折り曲げ線１６ａでフラップ１７を折り曲げて切り込み２８と切り込み２９とを互いに掛け合わせるように係合させる。
【００１９】
上記切り込み２８と２９との係合は、各切り込みが傾斜しているので、外壁片１３ａが復元しようとすると互いに深く係合するように作用し、切り込み２９の幅が広く外側に向けて裾広がりになっているので、図５，図６に示すように外壁片１３ａを裾広がりにし、図３（ｂ）に示すように嵩低く重ねることを可能にしている。
【００２０】
図７乃至図９は実施例２のその２で、その１と相違するのは、外壁片１３ａの両端に設けたフラップ１７の折り曲げ部分に折り曲げ線１６ａと１６ｂを設けている点である。
【００２１】
このように折り曲げ線１６ｂを設けることにより外壁片１３ｂも裾広がりにすることができて嵩低く積み重ね易くなる。
【００２２】
なお、折りたたみ線１４ａを断続的に向き合って形成し、この折りたたみ線１４ａが途切れた部分に凸状（円弧状波形あるいは台形）の切り込み２０を入れると内壁片１５ａを折り曲げたとき、切り込み２０の部分が折り曲げられず仕切り片２６となって図１０に示すように包装商品Ｈ(例えばハム）の横揺れを阻止する効果が得られる。
【００２３】
以上説明した包装用内枠には、包装商品の体裁をよくするために織布、不織布２５を図１、図２、図４、図５、図７、図８に示すように余裕をもって被せ、例えば、この織布、不織布２５の上に商品を納めた内枠１０を、内函Ｃ1と蓋函Ｃ2とからなるケースに納めて包装することができる（図１０参照）。
【産業上の利用可能性】
【００２４】
以上説明したとおりこの考案によれば、包装作業前は重ねて嵩低くすることができ、包装時には簡単な操作で図示しないケース内に納める状態にすることができる。また、内壁片を折りたたむと凸状切り込みが残って仕切り効果を発揮する。
【図面の簡単な説明】
【００２５】
【図１】この考案に係る包装用内枠（実施例１）のブランクの平面図
【図２】同ブランクの組み立て斜視図
【図３】同内枠の（ａ）外壁片の裾を広げた状態の正面図、（ｂ）重ねた状態の断面図、（ｃ）ケースに納め得る状態の正面図
【図４】この考案に係る包装用内枠（実施例２のその１）のブランクの平面図
【図５】同ブランクの組み立て斜視図
【図６】同内枠の外壁片の裾を広げた状態の正面図
【図７】この考案に係る包装用内枠（実施例２のその２）のブランクの平面図
【図８】同ブランクの組み立て斜視図
【図９】同内枠の外壁片の裾を広げた状態の正面図
【図１０】商品を包装した状態の（ａ）横断面図、（ｂ）縦断面図
【符号の説明】
【００２６】
１０  内枠
１１  上端回り縁
１３ａ，１３ｂ  外壁片
１２，１４ａ，１４ｂ  折りたたみ線
１５ａ，１５ｂ  内壁片
１６ａ  折り曲げ線
１６ｂ  傾斜折り曲げ線
１７  フラップ
１８  係止片
１９  部分円孔
２０  円弧状波形の切り込み
２１  （係止片の）括れ部
２２  （フラップの）端縁
２３  １／４円弧の切り込み
２４  ４５°の切り込み
２５  不織布
２６  仕切り片
Ｃ1  内函
Ｃ2  蓋函
Ｈ  ハム（包装商品）
【図１】
0003114229.tif 000003
【図２】
0003114229.tif 000004
【図３】
0003114229.tif 000005
【図４】
0003114229.tif 000006
【図５】
0003114229.tif 000007
【図６】
0003114229.tif 000008
【図７】
0003114229.tif 000009
【図８】
0003114229.tif 000010
【図９】
0003114229.tif 000011
【図１０】
0003114229.tif 000012